(57)【要約】      （修正有）【課題】複数の電子機器とデータ拡張ユニットとの間で１つのケーブルを介して多方向でデータの伝送を行うケーブルを提供する。【解決手段】ケーブル１０は、複数の電子機器２，４間でデータの伝送を行い、伝送モジュール１２及び基板モジュール１４を備える。伝送モジュール１２は、第１の電気接続ユニット１２２及び導線ユニット１２４を有する。第１の電気接続ユニット１２２は、導線ユニット１２４の一方の端部に接続され、第１の電気接続ユニット１２２を介して複数の電子機器２，４のうちの１つに接続される。基板モジュール１４は、伝送モジュール１２に接続され、第２の電気接続ユニット１４２、データ拡張ユニット１４４及び制御ユニット１４６を含む。制御ユニット１４６は、第２の電気接続ユニット１４２及びデータ拡張ユニット１４４と接続される。【選択図】図１
0003179973.tif 000002
【実用新案登録請求の範囲】
【請求項１】
複数の電子機器間でデータの伝送を行い、伝送モジュール及び基板モジュールを備えたケーブルであって、
前記伝送モジュールは、第１の電気接続ユニット及び導線ユニットを有し、前記第１の電気接続ユニットは、前記導線ユニットの一方の端部に接続され、前記第１の電気接続ユニットを介して前記複数の電子機器のうちの１つに接続され、前記導線ユニットを介して前記第１の電気接続ユニットの信号の伝送距離を延ばし、
前記基板モジュールは、前記伝送モジュールに接続され、第２の電気接続ユニット、データ拡張ユニット及び制御ユニットを含み、前記制御ユニットは、前記第２の電気接続ユニット及び前記データ拡張ユニットと接続され、前記基板モジュールは、前記制御ユニットを介して前記導線ユニットの他方の端部に接続され、前記制御ユニットは、前記第２の電気接続ユニット、前記データ拡張ユニット及び前記導線ユニット間の接続状態を変更し、前記接続状態に基づいて前記複数の電子機器と前記データ拡張ユニットとの間でデータの伝送を行うことを特徴とするケーブル。
【請求項２】
前記基板モジュールは、メモリユニットをさらに備え、
前記メモリユニットには、ルーターテーブルを予め記憶させておき、
前記メモリユニットと前記制御ユニットとが接続され、
前記ルーターテーブルには、前記第２の電気接続ユニット、前記データ拡張ユニット及び前記導線ユニットの接続順序が記録されていることを特徴とする請求項１に記載のケーブル。
【請求項３】
前記制御ユニットは、前記ルーターテーブル中の接続順序に基づいて前記第２の電気接続ユニット、前記データ拡張ユニット及び前記導線ユニット間の接続状態を変えることを特徴とする請求項２に記載のケーブル。
【請求項４】
前記第１の電気接続ユニットと前記第２の電気接続ユニットとが接続される状態は、前記第１の電気接続ユニット又は前記第２の電気接続ユニットが前記データ拡張ユニットに接続される状態より優先順位が高いことを特徴とする請求項３に記載のケーブル。
【請求項５】
前記基板モジュールは、トリガユニットを含み、
前記トリガユニットは、前記制御ユニットと接続されてトリガ信号を生成し、前記制御ユニットを駆動して接続状態を変えることを特徴とする請求項１に記載のケーブル。
【請求項６】
前記トリガユニットは、押ボタン、切替ノブ及びタッチスイッチのうちの少なくとも何れか１つであることを特徴とする請求項５に記載のケーブル。
【請求項７】
前記基板モジュールは、表示ユニットを含み、
前記表示ユニットは、前記制御ユニットと接続され、前記制御ユニットの接続状態を表示することを特徴とする請求項１に記載のケーブル。
【請求項８】
前記データ拡張ユニットは、内蔵式メモリ及びメモリリーダのうちの少なくとも何れか１つであることを特徴とする請求項１に記載のケーブル。
【請求項９】
前記内蔵式メモリは、ＮＡＮＤ型フラッシュメモリ又はソリッドステートドライブであることを特徴とする請求項８に記載のケーブル。
【請求項１０】
（公序良俗違反につき、不掲載）
【請求項１１】
結合ユニットをさらに備え、
前記結合ユニットは、前記伝送モジュール及び前記基板モジュールのうちの少なくとも何れか１つに配置され、前記伝送モジュールを前記基板モジュールに固定することを特徴とする請求項１に記載のケーブル。
【請求項１２】
前記結合ユニットは、磁石、係合リング及び嵌挿溝のうちの少なくとも何れか１つであることを特徴とする請求項１１に記載のケーブル。
【考案の詳細な説明】
【技術分野】
【０００１】
本考案は、ケーブルに関し、特に、複数の電子機器とデータ拡張ユニットとの間で１つのケーブルを介して多方向でデータの伝送を行うケーブルに関する。
【背景技術】
【０００２】
一般にユーザは多種類の電子機器を有する。ここで電子機器とは、スマート型携帯電話、タブレット型パソコンなどである。ユーザは、複数の電子機器により同一のファイル（例えば、写真、文章、音楽、ビデオなどのデータファイル）を同時に使用することがある。
【０００３】
ユーザは、複数の電子機器の中に配置された無線及び有線の通信モジュールを利用し、ファイルの伝送を行う。有線通信モジュールを例に説明すると、有線通信モジュールが雌コンタクトである場合、２つの電子機器間でファイルの伝送を行うためには、ユーザは雄コンタクトのケーブルを用いる必要がある。
【０００４】
しかし、従来のケーブルは、電子機器間でデータの伝送（又は電気を送ること）を単純に行うためだけに用いられていた。データの伝送では、ケーブルは電子機器間でデータを伝送するためだけに用いる。
【０００５】
ユーザにとって、ケーブルが同時に多種類の機能（例えば、データを記憶するために用いるフラッシュドライブ又はメモリカードを読取るカードリーダ）を備えることができる場合、ケーブルの利便性を向上させることができる上、フラッシュドライブ又はメモリカードを携帯することによる不便性を無くすことができる。
【考案の概要】
【考案が解決しようとする課題】
【０００６】
本考案の第１の目的は、複数の電子機器間でデータ通信を行う媒体として用い、データ拡張ユニットを介して複数の電子機器と多方向でデータを伝送するケーブルを提供することにある。
【０００７】
本考案の第２の目的は、メモリカード中のデータを電子機器が読取るカードリーダを有し、複数の電子機器へデータを伝送するケーブルを提供することにある。
【０００８】
本考案の第３の目的は、電子機器中にあるデータへアクセスし、例えば、内蔵式メモリ（ＮＡＮＤ型フラッシュメモリ、ソリッドステートメモリなど）を利用してケーブルへバックアップをとり、複数の電子機器の何れか１つから直接データを取得し、Ｏｎ  ｔｈｅ  Ｇｏの機能を有するケーブルを提供することにある。
【０００９】
本考案の第４の目的は、結合ユニットを用いることによりユーザが容易に携帯することができるケーブルを提供することにある。
【課題を解決するための手段】
【００１０】
上記課題を解決するために、本考案の第１の形態によれば、複数の電子機器間でデータの伝送を行い、伝送モジュール及び基板モジュールを備えたケーブルであって、前記伝送モジュールは、第１の電気接続ユニット及び導線ユニットを有し、前記第１の電気接続ユニットは、前記導線ユニットの一方の端部に接続され、前記第１の電気接続ユニットを介して前記複数の電子機器のうちの１つに接続され、前記導線ユニットを介して前記第１の電気接続ユニットの信号の伝送距離を延ばし、前記基板モジュールは、前記伝送モジュールに接続され、第２の電気接続ユニット、データ拡張ユニット及び制御ユニットを含み、前記制御ユニットは、前記第２の電気接続ユニット及び前記データ拡張ユニットと接続され、前記基板モジュールは、前記制御ユニットを介して前記導線ユニットの他方の端部に接続され、前記制御ユニットは、前記第２の電気接続ユニット、前記データ拡張ユニット及び前記導線ユニット間の接続状態を変更し、前記接続状態に基づいて前記複数の電子機器と前記データ拡張ユニットとの間でデータの伝送を行うことを特徴とするケーブルが提供される。
【００１１】
また、前記基板モジュールは、メモリユニットをさらに備え、前記メモリユニットには、ルーターテーブルを予め記憶させておき、前記メモリユニットと前記制御ユニットとが接続され、前記ルーターテーブルには、前記第２の電気接続ユニット、前記データ拡張ユニット及び前記導線ユニットの接続順序が記録されていることが好ましい。
【００１２】
また、前記制御ユニットは、前記ルーターテーブル中の接続順序に基づいて前記第２の電気接続ユニット、前記データ拡張ユニット及び前記導線ユニット間の接続状態を変えることが好ましい。
【００１３】
また、前記第１の電気接続ユニットと前記第２の電気接続ユニットとが接続される状態は、前記第１の電気接続ユニット又は前記第２の電気接続ユニットが前記データ拡張ユニットに接続される状態より優先順位が高いことが好ましい。
【００１４】
また、前記基板モジュールは、トリガユニットを含み、前記トリガユニットは、前記制御ユニットと接続されてトリガ信号を生成し、前記制御ユニットを駆動して接続状態を変えることが好ましい。
【００１５】
また、前記トリガユニットは、押ボタン、切替ノブ及びタッチスイッチのうちの少なくとも何れか１つであることが好ましい。
【００１６】
また、前記基板モジュールは、表示ユニットを含み、前記表示ユニットは、前記制御ユニットと接続され、前記制御ユニットの接続状態を表示することが好ましい。
また、前記データ拡張ユニットは、内蔵式メモリ及びメモリリーダのうちの少なくとも何れか１つであることが好ましい。
【００１７】
また、前記内蔵式メモリは、ＮＡＮＤ型フラッシュメモリ又はソリッドステートドライブであることが好ましい。
【００１８】（公序良俗違反につき、不掲載）【００１９】
また、結合ユニットをさらに備え、前記結合ユニットは、前記伝送モジュール及び前記基板モジュールのうちの少なくとも何れか１つに配置され、前記伝送モジュールを前記基板モジュールに固定することが好ましい。
【００２０】
また、前記結合ユニットは、磁石、係合リング及び嵌挿溝のうちの少なくとも何れか１つであることが好ましい。
【考案の効果】
【００２１】
本考案のケーブルは、従来技術と比べ、多方向でデータを伝送し、ケーブルを介して複数の電子機器間でデータを多方向で伝送し、ケーブルにより複数の電子機器に記憶したデータのバックアップを直接行うことができる上（例えば、ケーブルが内蔵式メモリを備える）、複数の電子機器は、ケーブルにより外部のデータを直接取り出すことができる（例えば、ケーブルがカードリーダを備える）。
【図面の簡単な説明】
【００２２】
【図１】本考案の第１実施形態に係るケーブルを示すブロック図である。
【図２】本考案の第２実施形態に係るケーブルを示すブロック図である。
【図３】本考案の第３実施形態に係るケーブルを示すブロック図である。
【図４】本考案の第４実施形態に係るケーブルを示すブロック図である。
【考案を実施するための形態】
【００２３】
以下、本考案の実施形態について図に基づいて説明する。なお、これによって本考案が限定されるものではない。
【００２４】（公序良俗違反につき、不掲載）
【００２５】
ケーブル１０は、伝送モジュール１２及び基板モジュール１４を含む。
【００２６】
伝送モジュール１２は、第１の電気接続ユニット１２２及び導線ユニット１２４を有する。第１の電気接続ユニット１２２は、導線ユニット１２４の一方の端部に接続され、第１の電気接続ユニット１２２を介して電子機器２に接続され、伝送モジュール１２は、導線ユニット１２４を介して第１の電気接続ユニット１２２の信号を伝送することが可能な距離を延ばすことができる。
【００２７】（公序良俗違反につき、不掲載）
【００２８】
基板モジュール１４は、伝送モジュール１２と接続されて第２の電気接続ユニット１４２、データ拡張ユニット１４４及び制御ユニット１４６を含む。
【００２９】
制御ユニット１４６は、第２の電気接続ユニット１４２及びデータ拡張ユニット１４４と接続される。基板モジュール１４は、制御ユニット１４６を介して導線ユニット１２４の他方の端部と接続される。制御ユニット１４６は、第２の電気接続ユニット１４２、データ拡張ユニット１４４及び導線ユニット１２４間の接続状態を変更するために用いる。ここで接続状態とは、例えば、第２の電気接続ユニット１４２とデータ拡張ユニット１４４との間、第２の電気接続ユニット１４２と導線ユニット１２４との間、第２の電気接続ユニット１４２、データ拡張ユニット１４４及び導線ユニット１２４間、又は、データ拡張ユニット１４４が第２の電気接続ユニット１４２及び導線ユニット１２４へ同時に接続された状態などの接続状態であり、制御ユニット１４６により第２の電気接続ユニット１４２、データ拡張ユニット１４４及び導線ユニット１２４間でデータＤＡの伝送を多方向で行う。
【００３０】
（第２実施形態）
図２を参照する。図２は、本考案の第２実施形態に係るケーブルを示すブロック図である。図２に示すように、ケーブル１０’は、第１実施形態と同様に伝送モジュール１２及び基板モジュール１４を含む他、メモリユニット１６を含んでもよい。
【００３１】
メモリユニット１６には、ルーターテーブル（ＲＴ：Ｒｏｕｔｅｒ  Ｔａｂｌｅ）を予め記憶させておき、メモリユニット１６を制御ユニット１４６に接続させる。制御ユニット１４６は、ルーターテーブルＲＴ中の接続順序に基づき、第２の電気接続ユニット１４２、データ拡張ユニット１４４及び導線ユニット１２４間の接続状態を変更する。ルーターテーブルＲＴは、第１実施形態中の第２の電気接続ユニット１４２、データ拡張ユニット１４４及び導線ユニット１２４の接続順序を記録する。
【００３２】
例えば、第１の電気接続ユニット１２２、第２の電気接続ユニット１４２及びデータ拡張ユニット１４４によりデータＤＡを同時に伝送させる際、ルーターテーブルＲＴにより第１の電気接続ユニット１２２及び第２の電気接続ユニット１４２を指定し、データＤＡを優先的に伝送させ、第１の電気接続ユニット１２２又は第２の電気接続ユニット１４２によりデータＤＡの伝送を完了させた後に、第１の電気接続ユニット１２２又は第２の電気接続ユニット１４２がデータ拡張ユニット１４４に接続され、データＤＡの伝送を行う。言い換えると、本実施形態の第１の電気接続ユニット１２２と第２の電気接続ユニット１４２との接続状態は、第１の電気接続ユニット１２２又は第２の電気接続ユニット１４２をデータ拡張ユニット１４４へ接続する接続状態より優先順位が高い。
【００３３】
（第３実施形態）
図３を参照する。図３は、本考案の第３実施形態に係るケーブルを示すブロック図である。図３に示すように、ケーブル１０’’は、第１実施形態と同様に伝送モジュール１２及び基板モジュール１４を含む他、トリガユニット１８及び表示ユニット２０を含んでもよい。
【００３４】
トリガユニット１８は、第１実施形態中の制御ユニット１４６と接続される。トリガユニット１８は、トリガ信号ＴＳを生成して制御ユニット１４６を駆動して接続状態を変更する。トリガユニット１８は、押ボタン、切替ノブ及びタッチスイッチのうちの少なくとも何れか１つでもよい。言い換えると、ユーザは、手動制御方式により、トリガユニット１８により第２の電気接続ユニット１４２、データ拡張ユニット１４４及び導線ユニット１２４間の接続状態を変更することができる。
【００３５】
表示ユニット２０は、制御ユニット１４６と接続される。表示ユニット２０は、制御ユニット１４６の接続状態を表示し、ケーブル１０’’の現在の接続状態をユーザに知らせる。
【００３６】
（第４実施形態）
図４を参照する。図４は、本考案の第４実施形態に係るケーブルを示すブロック図である。図４に示すように、ケーブル１０’’’は、第１実施形態と同様に伝送モジュール１２及び基板モジュール１４を含む他、結合ユニット２４を含んでもよい。
【００３７】
結合ユニット２４は、伝送モジュール１２又は基板モジュール１４に配置される。本実施形態では、結合ユニット２４を基板モジュール１４へ配置して説明する。結合ユニット２４は、磁石、係合リング及び嵌挿溝のうちの少なくとも何れか１つでもよい。伝送モジュール１２の第１の電気接続ユニット１２２は金属からなり、基板モジュール１４は、第１の電気接続ユニット１２２及び結合ユニット２４（例えば、磁気吸引方式）により、伝送モジュール１２を基板モジュール１４に固定させてもよい。
【００３８】
例えば、結合ユニット２４は、伝送モジュール１２と基板モジュール１４とを結合させてケーブル１０’’’を環状のリストバンドに形成することができるためユーザは容易に身につけることができる。
【００３９】
上述したことから分かるように、本考案のケーブルは、多方向でデータを伝送し、ケーブルを介して複数の電子機器間のデータ伝送を多方向で行い、ケーブルを介して複数の電子機器に記憶したデータを直接バックアップし、複数の電子機器は、ケーブルにより外部のデータを直接取り出すことができる。
【００４０】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４１】
２  電子機器
４  電子機器
１０  ケーブル
１０’  ケーブル
１０’’  ケーブル
１０’’’  ケーブル
１２  伝送モジュール
１４  基板モジュール
１６  メモリユニット
１８  トリガユニット
２０  表示ユニット
２２  接続ポート
２４  結合ユニット
４２  接続ポート
１２２  第１の電気接続ユニット
１２４  導線ユニット
１４２  第２の電気接続ユニット
１４４  データ拡張ユニット
１４６  制御ユニット
ＤＡ  データ
ＲＴ  ルーターテーブル
ＴＳ  トリガ信号
【図１】
0003179973.tif 000003
【図２】
0003179973.tif 000004
【図３】
0003179973.tif 000005
【図４】
0003179973.tif 000006
【手続補正書】
【提出日】平成24年9月20日(2012.9.20)
【手続補正１】
【補正対象書類名】明細書
【補正対象項目名】００１０
【補正方法】変更
【補正の内容】
【００１０】
上記課題を解決するために、本考案の第１の形態によれば、複数の電子機器間でデータの伝送を行い、伝送モジュール及び基板モジュールを備えたケーブルであって、前記伝送モジュールは、第１の電気接続ユニット及び導線ユニットを有し、前記第１の電気接続ユニットは、前記導線ユニットの一方の端部に接続され、前記第１の電気接続ユニットを介して前記複数の電子機器のうちの１つに接続され、前記基板モジュールは、前記伝送モジュールに接続され、第２の電気接続ユニット、データ拡張ユニット及び制御ユニットを含み、前記制御ユニットは、前記第２の電気接続ユニット及び前記データ拡張ユニットと接続され、前記基板モジュールは、前記制御ユニットを介して前記導線ユニットの他方の端部に接続され、前記制御ユニットは、前記第２の電気接続ユニット、前記データ拡張ユニット及び前記導線ユニット間の接続状態を変更し、前記接続状態に基づいて前記複数の電子機器と前記データ拡張ユニットとの間でデータの伝送を行うことを特徴とするケーブルが提供される。
【手続補正２】
【補正対象書類名】明細書
【補正対象項目名】００１８
【補正方法】変更
【補正の内容】
【００１８】
また、前記第１の電気接続ユニット及び前記第２の電気接続ユニットは、ＩＥＥＥ１３９４、ユニバーサルシリアルバス（Ｕｎｉｖｅｒｓａｌ  Ｓｅｒｉａｌ  Ｂｕｓ）、ミクロＵＳＢ（ｍｉｃｒｏ  ＵＳＢ）、ミニＵＳＢ（ｍｉｎｉＵＳＢ）、３０ピン（Ａｐｐｌｅ  ３０  ｐｉｎｓ  ｃｏｎｎｅｃｔｏｒ）の通信プロトコルに準拠することが好ましい。
【手続補正３】
【補正対象書類名】明細書
【補正対象項目名】００２４
【補正方法】変更
【補正の内容】
【００２４】
（第１実施形態）
図１を参照する。図１は、本考案の第１実施形態に係るケーブルを示すブロック図である。図１に示すように、ケーブル１０は、複数の電子機器２，４間でデータ（ｄａｔａ）を伝送するために用いる。これら複数の電子機器２，４は、スマート型携帯電話、タブレット型パソコン、デスクトップパソコンなどでもよい。これら複数の電子機器２，４は、ＩＥＥＥ１３９４、ユニバーサルシリアルバス（Ｕｎｉｖｅｒｓａｌ  Ｓｅｒｉａｌ  Ｂｕｓ）、ミクロＵＳＢ（ｍｉｃｒｏ  ＵＳＢ）、ミニＵＳＢ（ｍｉｎｉＵＳＢ）、３０ピン（Ａｐｐｌｅ  ３０  ｐｉｎｓ  ｃｏｎｎｅｃｔｏｒ）の通信プロトコルに準拠する接続ポート２２，４２を有する。
【手続補正４】
【補正対象書類名】明細書
【補正対象項目名】００２７
【補正方法】変更
【補正の内容】
【００２７】
第１の電気接続ユニット１２２は、ＩＥＥＥ１３９４、ユニバーサルシリアルバス（Ｕｎｉｖｅｒｓａｌ  Ｓｅｒｉａｌ  Ｂｕｓ）、ミクロＵＳＢ（ｍｉｃｒｏ  ＵＳＢ）、ミニＵＳＢ（ｍｉｎｉＵＳＢ）、３０ピン（Ａｐｐｌｅ  ３０  ｐｉｎｓ  ｃｏｎｎｅｃｔｏｒ）の通信プロトコルに準拠し、電子機器２の接続ポート２２に接続される。導線ユニット１２４は電線ケーブルである。
【手続補正５】
【補正対象書類名】実用新案登録請求の範囲
【補正対象項目名】全文
【補正方法】変更
【補正の内容】
【実用新案登録請求の範囲】
【請求項１】
複数の電子機器間でデータの伝送を行い、伝送モジュール及び基板モジュールを備えたケーブルであって、
前記伝送モジュールは、第１の電気接続ユニット及び導線ユニットを有し、前記第１の電気接続ユニットは、前記導線ユニットの一方の端部に接続され、前記第１の電気接続ユニットを介して前記複数の電子機器のうちの１つに接続され、
前記基板モジュールは、前記伝送モジュールに接続され、第２の電気接続ユニット、データ拡張ユニット及び制御ユニットを含み、前記制御ユニットは、前記第２の電気接続ユニット及び前記データ拡張ユニットと接続され、前記基板モジュールは、前記制御ユニットを介して前記導線ユニットの他方の端部に接続され、前記制御ユニットは、前記第２の電気接続ユニット、前記データ拡張ユニット及び前記導線ユニット間の接続状態を変更し、前記接続状態に基づいて前記複数の電子機器と前記データ拡張ユニットとの間でデータの伝送を行うことを特徴とするケーブル。
【請求項２】
前記基板モジュールは、メモリユニットをさらに備え、
前記メモリユニットには、ルーターテーブルを予め記憶させておき、
前記メモリユニットと前記制御ユニットとが接続され、
前記ルーターテーブルには、前記第２の電気接続ユニット、前記データ拡張ユニット及び前記導線ユニットの接続順序が記録されていることを特徴とする請求項１に記載のケーブル。
【請求項３】
前記制御ユニットは、前記ルーターテーブル中の接続順序に基づいて前記第２の電気接続ユニット、前記データ拡張ユニット及び前記導線ユニット間の接続状態を変えることを特徴とする請求項２に記載のケーブル。
【請求項４】
前記第１の電気接続ユニットと前記第２の電気接続ユニットとが接続される状態は、前記第１の電気接続ユニット又は前記第２の電気接続ユニットが前記データ拡張ユニットに接続される状態より優先順位が高いことを特徴とする請求項３に記載のケーブル。
【請求項５】
前記基板モジュールは、トリガユニットを含み、
前記トリガユニットは、前記制御ユニットと接続されてトリガ信号を生成し、前記制御ユニットを駆動して接続状態を変えることを特徴とする請求項１に記載のケーブル。
【請求項６】
前記トリガユニットは、押ボタン、切替ノブ及びタッチスイッチのうちの少なくとも何れか１つであることを特徴とする請求項５に記載のケーブル。
【請求項７】
前記基板モジュールは、表示ユニットを含み、
前記表示ユニットは、前記制御ユニットと接続され、前記制御ユニットの接続状態を表示することを特徴とする請求項１に記載のケーブル。
【請求項８】
前記データ拡張ユニットは、内蔵式メモリ及びメモリリーダのうちの少なくとも何れか１つであることを特徴とする請求項１に記載のケーブル。
【請求項９】
前記内蔵式メモリは、ＮＡＮＤ型フラッシュメモリ又はソリッドステートドライブであることを特徴とする請求項８に記載のケーブル。
【請求項１０】
前記第１の電気接続ユニット及び前記第２の電気接続ユニットは、ＩＥＥＥ１３９４、ユニバーサルシリアルバス（Ｕｎｉｖｅｒｓａｌ  Ｓｅｒｉａｌ  Ｂｕｓ）、ミクロＵＳＢ（ｍｉｃｒｏ  ＵＳＢ）、ミニＵＳＢ（ｍｉｎｉＵＳＢ）、３０ピン（Ａｐｐｌｅ  ３０  ｐｉｎｓ  ｃｏｎｎｅｃｔｏｒ）の通信プロトコルに準拠することを特徴とする請求項１に記載のケーブル。
【請求項１１】
結合ユニットをさらに備え、
前記結合ユニットは、前記伝送モジュール及び前記基板モジュールのうちの少なくとも何れか１つに配置され、前記伝送モジュールを前記基板モジュールに固定することを特徴とする請求項１に記載のケーブル。
【請求項１２】
前記結合ユニットは、磁石、係合リング及び嵌挿溝のうちの少なくとも何れか１つであることを特徴とする請求項１１に記載のケーブル。